(57)【要約】【課題】  袋の基本構成を共通化して開口部の位置を任意に変えることにより様々な用途に使用できるとともに、各用途に使用した場合において従来技術の問題点を解決することのできるプラスチック製袋を提供する。【解決手段】  袋１は、プラスチックフィルムよりなるシート状の袋材を半分に折り畳んでその両側縁部および端縁部をシールすることにより、全周部において互いに連続した前壁１１および後壁１２が形成されるとともに、スリット状の開口部１３が前壁の高さ中間に水平に形成されてなる。前後壁は、開口部の位置で前方に折り返される。前後壁の折り返し部により、開口部を通じて内部に表示手段２が収容されるヘッダー部１Ａが構成され、前後壁のその他の部分により、開口部を通じて内部に物品３が収容される袋本体１Ｂが構成される。ヘッダー部と重なり合う袋本体の部分に封緘用粘着部１４が形成される。【選択図】  図１
0003130743.tif 000002
【実用新案登録請求の範囲】
【請求項１】
プラスチックフィルムよりなるシート状の袋材を半分に折り畳んでその両側縁部および端縁部をシールすることにより、全周部において互いに連続した前壁および後壁が形成されるとともに、スリット状の開口部が前後いずれかの壁に形成されてなることを特徴とする、袋。
【請求項２】
プラスチックフィルムよりなるチューブ状の袋材の両端縁部をシールすることにより、全周部において互いに連続した前壁および後壁が形成されるとともに、スリット状の開口部が前後いずれか一方の壁に形成されてなることを特徴とする、袋。
【請求項３】
スリット状の開口部が前壁の高さ中間に水平に形成されていて、該開口部の位置で前後両壁が前方に折り返されており、前後両壁の折り返し部によって、開口部を通じて内部に表示手段が収容されるヘッダー部が構成される一方、前後両壁のその他の部分によって、開口部を通じて内部に物品が収容される袋本体が構成され、さらに、ヘッダー部を袋本体に止めるための粘着手段を有していることを特徴とする、請求項１または２記載の袋。
【請求項４】
ヘッダー部および袋本体の互いに重なり合う部分に、これらを貫通するように袋吊下げ用孔があけられていることを特徴とする、請求項３記載の袋。
【請求項５】
後壁後面の上下両端縁部に袋貼付用粘着部が形成され、スリット状の開口部が、後壁の高さ中間に水平に形成されていることを特徴とする、請求項１または２記載の袋。
【請求項６】
スリット状の開口部が形成されている前壁または後壁に、開口部を閉鎖するようにタックラベルが貼り付けられていることを特徴とする、請求項１または２記載の袋。
【考案の詳細な説明】
【技術分野】
【０００１】
本考案は、各種物品の収納や包装に用いられるプラスチックフィルム製袋に関する。
【背景技術】
【０００２】
プラスチック製袋として、プラスチックフィルムよりなるシート状の袋材を半分に折り畳んでその両側縁部をシールすることにより形成されたもの（サイドシール）や、プラスチックフィルムよりなるチューブ状の袋材の一方の端縁部をシールすることにより形成されたもの（チューブ）が一般的に広く知られている。また、前者の袋の前後いずれか一方の壁を上方に延長して折り返すとともに、折り返し部の裏面またはこれと重なり合う壁面に封緘用粘着部が形成されたもの（リップ付きサイドシール）も知られている。
【０００３】
上記のプラスチック製袋の用途の１つとして、例えば、病院で処方された薬剤等を１回分毎に小分けしたり、複数種類の物品を同じ種類毎に分類して収容するのに用いられる場合がある。この場合、使用者は、小分けまたは分類した物品の使用時や種類等を明確にするために、袋の表面に筆記具で「朝」「昼」「夜」等と記載する必要があった。
しかしながら、収納する物品に関する情報を袋に直接記載すると、それを書き換える必要が生じた場合でも簡単に変更できないため、使い勝手が良くなかった。
【０００４】
また、プラスチック製袋は、各種物品の包装にも多く用いられている。包装用のプラスチック製袋として、下端縁部に開口部を有し、内部がシール部によって上下２つに区画されており、シール部よりも上方部分によって、収容する物品に関する情報等が表示された表示シートが密封されるヘッダ部が構成される一方、シール部よりも下方部分によって、袋の下縁部の開口部を通じて物品が収容される袋本体が構成され、袋本体の前後いずれか一方の壁が下方に延長されるとともに同延長部が折り返され、折り返し部および袋本体の互いに重なり合う面のうちいずれか一方に封緘用粘着部が形成されているものが知られている。また、店舗等において吊り下げ状態で陳列される商品の包装用袋として使用する場合には、上記袋のヘッダ部にこれを貫通するように袋吊下げ用孔があけられ、この孔が商品展示用バーやフック等に掛けられるようになっている（下記特許文献１等参照）。
ここで、上記の袋は、ヘッダ部が２重のプラスチックフィルムで構成されていて機械的強度が十分でないため、表示シートとして機械的強度の高い合成紙を使用するとともに、この合成紙にも袋吊下げ用孔に合致する孔をあけておく必要があった。
しかしながら、表示シートとして合成紙を使用するとコストが嵩むため、特に小ロットへの対応が困難であった。
また、上記の袋においては、袋本体の開口部が袋の下端縁部に形成されているため、粘着部による封緘が不完全であると、袋本体に収容された物品が落下するおそれがあった。
さらに、上記の袋の場合、袋本体の封緘部として機能する折り返し部が、１重のプラスチックフィルムで構成されていて柔軟であるため、指で摘み難く、開閉操作を行い難いという問題があった。
なお、上記の袋は、これを小分け用袋や分類用袋に利用することも考えられるが、表示シートがヘッダ部に密封されていて使用者が必要に応じて差し替えることができないため、やはり利便性の点で問題がある。
【０００５】
プラスチック製袋のその他の用途として、例えば名刺や標章等をその表示内容が確認できる状態で所定箇所に貼り付けておくのに使用される場合もある。このような用途に用いられる袋として、上端縁部に開口部を有する袋体よりなり、袋体における後壁後面の上下縁部に両面粘着テープ等よりなる袋貼付用粘着部が形成されたものが開示されている（下記特許文献２参照）。
しかしながら、この袋の場合、開口部が袋体の上端縁部に形成されているため、収容された標章等の重みによって開口部が開いた状態になりやすく、見栄えが良くない上、収容された標章等が脱落するおそれがあった。
【０００６】
さらに、上述の通り、従来のプラスチック製袋は、用途に応じて基本構成が異なるものとなっているので、各用途に応じた多種類の袋を製造するためには設備費等の費用が嵩むという問題があった。
【特許文献１】実願昭４８−８８９０７号（実開昭５０−３５６１１号）のマイクロフィルム
【特許文献２】実用新案登録第３０８６２８７号公報
【考案の開示】
【０００７】
この考案の目的は、袋の基本構成を共通化して開口部の位置を任意に変えることにより様々な用途に使用することが可能であって、各用途に使用した場合において上述した従来技術の問題点を解決することができるプラスチック製袋を提供することにある。
【０００８】
この考案による第１の袋は、プラスチックフィルムよりなるシート状の袋材を半分に折り畳んでその両側縁部および端縁部をシールすることにより、全周部において互いに連続した前壁および後壁が形成されるとともに、スリット状の開口部が前後いずれかの壁に形成されてなるものである。
また、この考案による第２の袋は、プラスチックフィルムよりなるチューブ状の袋材の両端縁部をシールすることにより、全周部において互いに連続した前壁および後壁が形成されるとともに、スリット状の開口部が前後いずれか一方の壁に形成されてなるものである。
【０００９】
この考案による第１または第２の袋によれば、従来の製袋装置を利用して安価に製造することができる上、開口部の位置を任意に変更することにより様々な用途に利用することが可能である。開口部は、スリット状、即ち、細長い穴状のものであればよく、直線状の他、例えば波線状等であってもよい。また、開口部は、通常、カッターで切り込みを入れることによって形成されるが、それ以外の手段により形成されていてもよい。
【００１０】
この考案による第１または第２の袋の１つの態様として、スリット状の開口部が前壁の高さ中間に水平に形成されていて、該開口部の位置で前後両壁が前方に折り返されており、前後両壁の折り返し部によって、開口部を通じて内部に表示手段が収容されるヘッダー部が構成される一方、前後両壁のその他の部分によって、開口部を通じて内部に物品が収容される袋本体が構成され、さらに、ヘッダー部を袋本体に止めるための粘着手段を有している場合がある。
【００１１】
上記態様の袋にあっては、開口部を通じてヘッダー部に表示手段を取替自在に収容することができるので、小分け用袋もしくは分類用袋またはヘッダー付き包装用袋として好適に利用することが可能である。
より具体的に言うと、上記態様の袋の場合、袋本体およびヘッダー部双方の開口部を構成しているスリット状の開口部が前壁の高さ中間に形成されている上、ヘッダー部が袋本体の封緘部を兼ねているので、袋本体に収容された物品が落下するおそれがなく、また、ヘッダ部の開閉の度にその内部に収容された表示手段を視認することができるので便利である。
加えて、ヘッダー部は、２重のプラスチックフィルムよりなるので、丈夫で摘み易く、開閉操作がし易い。
ヘッダー部を袋本体に止めるための粘着手段は、例えば、ヘッダー部および袋本体の互いに重なり合う面のうちいずれか一方に形成された封緘用粘着部によって構成される。封緘用粘着部としては、液状のりやホットメルト等の粘着剤を塗布することにより形成される粘着剤層や、両面粘着テープを用いることができる。袋材を構成するプラスチックフィルムの表面に印刷が行われる場合、同フィルムの表面に予めコロナ放電処理が施されるのが通常であるが、従来のプラスチック製袋では、封緘部を構成するプラスチックフィルムのコロナ放電処理されていない裏面が、これと重なり合う壁面を構成するコロナ処理されたプラスチックフィルム表面に、粘着剤層等によって接合されていたため、接合不良を生じるおそれがあった。これに対して、この考案における上記態様の袋においては、ヘッダー部および袋本体の互いに重なり合う面がいずれもコロナ放電処理されたプラスチックフィルム表面によって構成されるため、粘着部による両者の接合が良好になる。また、粘着手段は、ヘッダー部の先端縁部およびこれに隣接する袋本体の部分にまたがって貼り付けられる粘着テープであってもよい。粘着テープとしては、例えば、タックラベルを用いることができる。
ヘッダー部に収容される表示手段としては、必要な情報等が表面に記載または印刷された表示シート（紙、合成紙等）を代表例として挙げることができるが、これに限定されるものではなく、その他にも、例えば、小さな工芸用品等の包装用袋として使用される場合には、袋本体に収容される商品と同じものをサンプルとしてヘッダー部に１つ収容しておくことも可能である。
スリット状の開口部を形成する位置は、前壁の高さ中間、即ち、前壁における上端縁部と下端縁部との間の位置であれば何処でもよく、この位置を変えることによってヘッダ部および袋本体のサイズを任意に設定することが可能となるが、通常、前壁における高さ中央よりも上方位置となされる。
【００１２】
この考案による上記態様の袋において、ヘッダー部および袋本体の互いに重なり合う部分に、これらを貫通するように袋吊下げ用孔があけられている場合がある。
【００１３】
上記の場合、この考案の袋を、店舗等において吊り下げ状態で陳列する商品の包装用袋として好適に使用することができる。
とりわけ、上記の袋にあっては、ヘッダー部および袋本体の互いに重なり合う部分を構成する４重のプラスチックフィルムに、これらを貫通するように袋吊下げ用孔があけられているので、機械的強度に優れている。したがって、従来技術（特許文献１）のように表示手段として高価な合成紙を使用する必要がなく、表示手段を紙製とすることができるので、小ロットへの対応が可能となる。
【００１４】
この考案による第１または第２の袋のその他の態様として、後壁後面の上下両端縁部に袋貼付用粘着部が形成され、スリット状の開口部が、後壁の高さ中間に水平に形成されている場合がある。
【００１５】
上記態様の袋は、名刺や標章等を収容して所定箇所に貼り付けるための袋として好適に使用される。特に、この袋の場合、スリット状の開口部が、後壁の高さ中間、即ち上端縁部の粘着部と下端縁部の粘着部との間の位置に形成されているため、開口部を通じて内部に名刺等のシート状物品を収容した状態で所定箇所に貼り付けた際に、開口部が開いたりせず、貼り付けた箇所に密着するので、見映えがよい上、収容された物品が脱落するおそれがない。
開口部を形成する位置は、後壁の高さ中間、即ち上端縁部の粘着部と下端縁部の粘着部との間の位置であれば特に限定されない。もっとも、収容するシート状物品が例えば名刺のような比較的厚い紙である場合、上端縁部または下端縁部の粘着部になるべく近い位置に開口部を形成すれば、袋内への収容が容易になる上、袋内に無駄なスペースが生じ難いので、その方が好ましい。一方、収容するシート状物品が比較的薄い紙である場合、これを曲げながら開口部を通じて袋内に収容することができるので、開口部は後壁の高さ中央に近い位置であっても差し支えない。
【００１６】
この考案による第１または第２の袋のさらに別の態様として、スリット状の開口部が形成されている前壁または後壁に、開口部を閉鎖するようにタックラベルが貼り付けられている場合がある。
【００１７】
上記態様の袋にあっては、スリット状の開口部を通じて袋内に物品を収容した後、タックラベルによって開口部を閉鎖すればよいので、例えば従来のリップ付き袋のようにリップを折り返す手間が不要となり、その分だけ封緘作業が容易となる。
また、タックラベルには、必要な情報等を印刷によって表示することができるので、ヘッダー部を不要とすることができる。
なお、タックラベルは、少なくとも開口部と同じ長さを有していればよいが、不用意に剥がれないようにするために、両端部を開口部が形成されている壁と反対側の壁に折り返して貼り付けることができる程度の長さを有するものとするのが、より好ましい。
この態様の袋の場合、開口部の位置は特に限定されないが、好適には、タックラベルの貼り付け代を残して、なるべく上端縁部に近い位置（例えば上端縁部から１ｃｍ程度下方の位置）に形成される。
【考案を実施するための最良の形態】
【００１８】
図１および図２には、この考案の第１の実施形態が示されている。この実施形態によるプラスチック製袋は、薬剤等の小分け用袋や小物類の分類用袋として好適に用いられるものである。
【００１９】
図１および図２に示すプラスチック製袋（１）は、全周部において互いに連続した前壁（１１）および後壁（１２）を有するとともに、スリット状の開口部（１３）が前壁（１１）に形成されてなるものである。
前壁（１１）および後壁（１２）は、透明なプラスチックフィルムよりなるシート状の袋材を半分に折り畳んでその両側縁部および端縁部をシールすることにより形成されている。従って、この袋（１）では、上端縁部および左右両側縁部にシール部（１５）が形成されている。この袋（１）は、従来のサイドシールの製袋装置を利用して製造することが可能である。
また、前壁（１１）および後壁（１２）は、透明なプラスチックフィルムよりなるチューブ状の袋材の両端縁部をシールすることによっても形成することができる。この場合、従来のサイドシールの製袋装置を使用してチューブ状袋材を加工することにより、袋（１）を製造することが可能である。
【００２０】
開口部（１３）は、縦長の方形をした前壁（１１）の高さ中間、より具体的には、前壁（１１）における全高の約３／４の高さ位置に水平に形成されており、その長さは、前壁（１１）の横幅全体に亘るものとなされている。もっとも、開口部（１３）の位置は、所望するヘッダ部（１Ａ）および袋本体（１Ｂ）のサイズに応じて適宜に設定すればよく、図示の位置には限られない。
【００２１】
前壁（１１）および後壁（１２）は、図２に示すように、開口部（１３）の位置で前方に折り返されている。その結果、前壁（１１）および後壁（１２）の折り返し部によって、開口部（１３）を通じて内部に表示手段（２）が収容されるヘッダー部（１Ａ）が構成される一方、前壁（１１）および後壁（１２）のその他の部分によって、開口部（１３）を通じて内部に物品（３）が収容される袋本体（１Ｂ）が構成される。
【００２２】
袋本体（１Ｂ）におけるヘッダー部（１Ａ）の先端縁部と重なり合う部分には、封緘用粘着部（１４）が形成されている。粘着部（１４）は、袋本体（１Ｂ）の前記部分に液状のりやホットメルト等の粘着剤を塗布することにより形成された粘着剤層よりなり、袋本体（１Ｂ）のほぼ横幅全体に亘るように帯状に形成されている。なお、粘着部（１４）は、両面粘着テープにより構成されていてもよい。また、粘着部（１４）に代えて、ヘッダー部（１Ａ）の先端縁部およびこれに隣接する袋本体（１Ｂ）の部分にまたがって貼り付けられるタックラベルを使用することもできる（図５参照）。以上の構成により、ヘッダー部（１Ａ）は、袋本体（１Ｂ）を開閉するための封緘部としても機能する。また、開口部（１３）は、ヘッダー部（１Ａ）、袋本体（１Ｂ）双方の開口部として機能するものである。
【００２３】
上記の袋（１）を使用する場合、まず、図１に示すようにヘッダ部（１Ａ）を上方に開いた状態で、ヘッダー部（１Ａ）の内部に開口部（１３）を通じて表示手段（２）を収容する。表示手段（２）としては、例えば、片面または両面に必要な情報（例えば、「朝」、「昼」、「夜」等）が表示された表示シートが用いられる。表示シート（２）には、通常、紙が用いられる。なお、表示シート（２）として使用する紙の色を、袋本体（１Ｂ）に収容する物品（３）の種類等に応じて変えるようにしてもよい。一方、袋本体（１Ｂ）の内部にも、図１に示すようにヘッダー部（１Ａ）を上方に開いた状態で、薬剤等の物品（３）を収容する。
その後、図２に示すように、ヘッダー部（１Ａ）を前方に折り返すと、その先端縁部が封緘用粘着部（１４）に接合され、これにより袋本体（１Ｂ）およびヘッダー部（１Ａ）の開口部を構成する開口部（１３）が閉鎖された閉状態となる。
袋本体（１Ｂ）に収容された物品（３）を使用する際には、ヘッダー部（１Ａ）の先端縁部を指で摘んで上方に持ち上げることにより、図１に示す開状態となるので、開口部（１３）を通じて物品（３）を取り出せばよい。
また、ヘッダー部（１Ａ）に収容された表示シート（２）についても、ヘッダー部（１Ａ）を図１に示す開状態として、開口部（１３）を通じて取り出し、適宜に取り替えることが可能である。
【００２４】
図３には、この考案の第２の実施形態が示されている。この実施形態によるプラスチック製袋（１０）は、店舗等において吊り下げ状態で陳列する商品の包装用袋として好適に使用されるものであって、以下の点を除いて図１および図２に示す第１の実施形態の袋（１）と同一である。
【００２５】
即ち、図３のプラスチックフィルム製袋（１０）にあっては、ヘッダー部（１Ａ）およびこれと重なり合う袋本体（１Ｂ）の上部に、これらを貫通するように袋吊下げ用孔（１６）があけられている。また、ヘッダー部（１Ａ）に収容される表示シート（２）にも、上記孔（１６）と合致する孔（２１）があけられている。表示シート（２）としては、紙が用いられている。
【００２６】
上記の袋（１０）は、ヘッダー部（１Ａ）に表示シート（２）を収容し、袋本体（１Ｂ）に物品（３）を収容して、ヘッダー部（１Ａ）を折り返して袋本体（１Ｂ）の粘着部（１４）に接合した包装状態で、袋吊下げ用孔（１６）を商品陳列用バーやフックに通すことにより陳列される。
【００２７】
図４には、この考案の第３の実施形態が示されている。この実施形態によるプラスチック製袋（１００）は、名刺や標章等を収容して所定箇所に貼り付けるための袋として好適に使用されるものである。
【００２８】
図４に示すプラスチック製袋（１００）は、全周部において互いに連続した前壁（１１１）および後壁（１１２）を有するとともに、スリット状の開口部（１１３）が後壁（１１２）に形成されてなるものである。
【００２９】
前壁（１１１）および後壁（１１２）は、横に長い方形であって、袋（１００）の内部に収容される名刺等のシート状物品（３００）のサイズよりも若干大きいものとなされている。この実施形態の袋（１００）の前壁（１１１）および後壁（１１２）も、図１および図２に示す袋（１）のそれらと同様の方法によって製造されている。
【００３０】
後壁（１１２）後面の上端縁部および下端縁部には、それぞれ袋貼付用粘着部（１１４）が形成されている。粘着部（１１４）は、後壁（１１２）後面の上下両端縁部に液状のりやホットメルト等の粘着剤を塗布することにより形成された粘着剤層よりなり、後壁（１１２）のほぼ横幅全体に亘るように帯状に形成されている。なお、粘着部（１１４）は、両面粘着テープによって構成することも可能である。
【００３１】
開口部（１１３）は、後壁（１１２）の高さ中間、より具体的には、後壁（１１２）における上端縁部の粘着部（１１４）よりもやや下方位置に水平に形成されており、その長さは、後壁（１１２）の横幅全体に亘るものとなされている。
【００３２】
上記の袋（１００）を使用する場合、まず、開口部（１１３）を通じて名刺等のシート状物品（３００）をその所要の面が前壁（１１１）側を向くように収容しておいてから、後壁（１１２）の粘着部（１１４）によって所定箇所（例えば、商品カタログ等）に貼り付ければよい。
【００３３】
図５には、この考案の第４の実施形態が示されている。この実施形態によるプラスチック製袋（１０Ａ）は、小物類等の包装用袋として好適に使用されるものである。
【００３４】
図５に示すプラスチック製袋（１０Ａ）は、全周部において互いに連続した前壁（１１）および後壁（１２）を有するとともに、スリット状の開口部（１３）が前壁（１１）に形成されてなるものである。
【００３５】
前壁（１１）および後壁（１２）は、やや縦に長い方形である。この実施形態の袋（１０Ａ）の前壁（１１）および後壁（１２）も、図１および図２に示す袋（１）のそれらと同様の方法によって製造されている。
【００３６】
開口部（１３）は、前壁（１１）の高さ中間、より具体的には前壁（１１）における上端縁のシール部（１５）から１ｃｍ程度下方の位置に水平に形成されており、その長さは、前壁（１１）の横幅全体に亘るものとなされている。
【００３７】
前壁（１１）には、開口部（１３）を閉鎖するようにタックラベル（１４Ａ）が貼り付けられている。タックラベル（１４Ａ）は、水平方向に長い帯状のものであって、その両端部が後方に折り返されて後壁（１２）に貼り付けられるような長さを有している。また、図示は省略したが、タックラベル（１４Ａ）の表面には、袋（１０Ａ）に収容される物品（３）に関する情報等が印刷されている。
【００３８】
上記の袋（１０Ａ）によって小物類等の物品（３）を包装する場合、まず、開口部（１３）を通じて袋（１０Ａ）内に物品（３）を収容しておいてから、タックラベル（１４Ａ）を、これによって開口部（１３）が閉鎖されるように、前壁（１１）および後壁（１２）に貼り付ければよい。
【図面の簡単な説明】
【００３９】
【図１】この考案の第１の実施形態を示すものであって、（ａ）はヘッダー部を開いた状態の袋の正面図、（ｂ）は同状態の袋の垂直断面図である。
【図２】この考案の第１の実施形態を示すものであって、（ａ）はヘッダー部を閉じた状態の袋の正面図、（ｂ）は同状態の袋の垂直断面図である。
【図３】この考案の第２の実施形態を示すものであって、（ａ）はヘッダー部を閉じた状態の袋の正面図、（ｂ）は同状態の袋の垂直断面図である。
【図４】この考案の第３の実施形態を示すものであって、（ａ）は袋の背面図、（ｂ）は袋の垂直断面図である。
【図５】この考案の第４の実施形態を示すものであって、（ａ）は袋の正面図、（ｂ）は袋の垂直断面図である。
【符号の説明】
【００４０】
（１）（１０）（１０Ａ）（１００）：プラスチック製袋
（１Ａ）：ヘッダー部
（１Ｂ）：袋本体
（１１）（１１１）：前壁
（１２）（１１２）：後壁
（１３）（１１３）：開口部
（１４）：封緘用粘着部
（１４Ａ）：タックラベル
（１５）（１１５）：シール部
（１６）：袋吊下げ用孔
（１１４）：袋貼付用粘着部
（２）：表示シート（表示手段）
（３）（３００）：物品
【図１】
0003130743.tif 000003
【図２】
0003130743.tif 000004
【図３】
0003130743.tif 000005
【図４】
0003130743.tif 000006
【図５】
0003130743.tif 000007